(57)【要約】【課題】  、蓋の内頂面に熱圧着して使用するパッキンであって、密封性に優れ、内容物に対して安定して使用できると共に、蓋の内頂面への熱圧着性に優れたパッキンを提供することにある。【解決手段】  蓋の内頂面に熱圧着して容器の密封のために使用する容器用パッキンであって、蓋の内頂面に熱圧着される上層をポリエチレン樹脂製とし、シール面となる下層をポリプロピレン樹脂製とし、中間に合成樹脂製の発泡層を有する構成とすること、に有る。【選択図】図１
2006232340.tif 000002
【特許請求の範囲】
【請求項１】
蓋(2)の内頂面(2a)に熱圧着して容器の密封のために使用する容器用パッキンであって、前記蓋(2)の内頂面(2a)に熱圧着される上層(4)をポリエチレン樹脂製とし、シール面となる下層(7)をポリプロピレン樹脂製とし、中間に合成樹脂製の発泡層(5)を有する構成とした容器用パッキン。
【請求項２】
金属製の蓋(2)を有する容器に使用する請求項１記載の容器用パッキン。
【請求項３】
アルミ缶に使用する請求項２記載の容器用パッキン。
【請求項４】
発泡層(5)にポリエチレン樹脂製発泡シートを使用し、該発泡層(5)の上面にポリエチレン樹脂製の塗料でコーティングして上層(4)とし、下面に接着層(6)を介してポリプロピレン樹脂製フィルムを積層して下層(7)とした請求項１、２または３記載の容器用パッキン。
【請求項５】
着色により上層(4)と下層(7)を区別可能とした請求項１、２、３または４記載の容器用パッキン。
【発明の詳細な説明】
【技術分野】
【０００１】
本発明は、蓋の内頂面に熱圧着して使用する容器用パッキンに関する。
【背景技術】
【０００２】
従来より、ポリエチレン（以下、ＰＥと記す。）樹脂を原料とする発泡シート材は微細セルを有し、表面が平滑で柔軟性があり、容器用パッキンとして使用されている。また特許文献１には高温で内容物を充填する場合でも耐熱性を有し、密封性が低下しないパッキンとして使用可能なポリプロピレン（以下、ＰＰと記す。）樹脂製発泡シートについての記載がある。
【０００３】
一方、クリーム、ワックス等の化粧料容器の分野では外観、触感等で商品を差別化、高級化するためにアルミ製の缶（以下アルミ缶と記す。）が使用されている。そして、蓋の内頂面に上記ＰＥ樹脂製発泡シート材を使用したパッキンを熱圧着し、缶を密封して、内容物の揮散、あるいは外気の進入を防いでいる。
【特許文献１】特開２００３−１１８７６７号公報
【発明の開示】
【発明が解決しようとする課題】
【０００４】
しかしながら、ＰＥ樹脂製の発泡シート材を使用したパッキンでは内容物によってはその密封性が不足するという問題があり、一方ＰＰ樹脂製の発泡シート材を使用すると、蓋がアルミ製の場合、蓋の内頂面への熱圧着が困難となる問題がある。
【０００５】
そこで本発明の課題および目的は、蓋の内頂面に熱圧着して使用するパッキンであって、密封性に優れ、内容物に対して安定して使用できると共に、蓋の内頂面への熱圧着性に優れたパッキンを提供することにある。
【課題を解決するための手段】
【０００６】
上記技術的課題を解決する手段のうち、請求項１記載の発明の手段は、蓋の内頂面に熱圧着して容器の密封のために使用する容器用パッキンであって、蓋の内頂面に熱圧着される上層をポリエチレン樹脂製とし、シール面となる下層をポリプロピレン樹脂製とし、中間に合成樹脂製の発泡層を有する構成とすること、に有る。
【０００７】
請求項１記載の上記構成は、蓋の内頂面への熱圧着性機能と、パッキンとしての柔軟性と、密封性機能をそれぞれ分離して発揮できるようにパッキンを積層状に形成したものである。すなわち、内頂面に熱圧着される上層を比較的低温で溶融可能なＰＥ樹脂製とすることにより蓋の内頂面への熱圧着を容易に達成することができ、パッキンに必須な機能である柔軟性が発揮され、そしてシール面となる下層をＰＰ樹脂製とすることにより、密封性に優れ、内容物に対して安定して使用できる。
【０００８】
請求項２記載の発明の手段は、請求項１記載の発明において、金属製の蓋を有する容器に使用すること、にある。
【０００９】
請求項２記載の上記構成により、ＰＥ樹脂はアルミ、スチール等の金属に容易に熱圧着でき密封性に優れ、内容物に対して安定して使用できると共に、蓋の内頂面への熱圧着性に優れた、金属製の蓋を有する容器用のパッキンを提供することができる。
【００１０】
請求項３記載の発明の手段は、請求項２記載の発明において、アルミ缶に使用すること、にある。
【００１１】
密封性に優れ、内容物に対して安定して使用できると共に、蓋の内頂面への熱圧着性に優れたアルミ缶用のパッキンを提供することができる。
【００１２】
請求項４記載の発明の手段は、請求項１、２または３記載の発明において、発泡層にＰＥ樹脂製発泡シートを使用し、この発泡層の上面にＰＥ樹脂製の塗料でコーティングして上層とし、下面に接着層を介してＰＰ樹脂製フィルムを積層して下層とすること、にある。
【００１３】
請求項４記載の上記構成は本願発明のパッキンの積層構造の具体例であり、ＰＥ樹脂製、特に低密度ＰＥ樹脂製の発泡シートは微細セルを有し、表面が平滑で柔軟性があり容器用パッキンとして十分な機能を発揮できると共に安価に入手することができる。
【００１４】
また、この発泡シートの上面をＰＥ樹脂製の塗料でコーティングすることにより、発泡層の凹凸を埋めてアルミ製の蓋の内頂面への熱圧着を容易にできる、ＰＥ樹脂製の上層を形成することができる。そして、下面に接着層を介してＰＰ樹脂製フィルムを積層して容易にＰＰ樹脂製の下層を形成することができる。なお、ＰＰ樹脂製フィルムはドライラミネート法で発泡層に熱圧着状に積層することもできるし、接着層として活性化ポリオレフィン樹脂を用いて押出しラミネート法で積層することもできる。
【００１５】
請求項５記載の発明の手段は、請求項１、２、３または４記載の発明において、着色により上層と下層を区別可能としたこと、にある。
【００１６】
請求項５記載の上記構成により、上層と下層を明確に識別することができ、パッキンを誤って上下逆にセットするのを防ぐことができ、また容易に工程管理することができる。
【発明の効果】
【００１７】
本発明は上記した構成であり、以下に示す効果を奏する。
請求項１記載の発明にあっては、蓋の内頂面への熱圧着性機能と、パッキンとしての柔軟性と、密封性機能をそれぞれ分離して発揮できるようにパッキンを積層状に形成したものであり、密封性に優れ、内容物に対して安定して使用できると共に、蓋の内頂面への熱圧着性に優れた容器用のパッキンを提供することができる。
【００１８】
請求項２記載の発明にあっては、ＰＥ樹脂はアルミ、スチール等の金属に容易に熱圧着でき、密封性に優れ、内容物に対して安定して使用できると共に、蓋の内頂面への熱圧着性に優れた、金属製の蓋を有する容器用のパッキンを提供することができる。
【００１９】
請求項３記載の発明にあっては、密封性に優れ、内容物に対して安定して使用できると共に、蓋の内頂面への熱圧着性に優れたアルミ缶用のパッキンを提供することができる。
【００２０】
請求項４記載の発明にあっては、積層構造の具体例であり、特に低密度ＰＥ樹脂製の発泡シートは微細セルを有し、表面が平滑で柔軟性があり容器用パッキンとして十分な機能を発揮でき、ＰＥ樹脂製の塗料でコーティングして上層を形成することにより発泡層の凹凸を埋めて蓋の内頂面への熱圧着を容易にでき、接着層を介してＰＰ樹脂製フィルムを積層して容易にＰＰ樹脂製の下層を形成することができる。
【００２１】
請求項５記載の発明にあっては、着色により上層と下層を区別可能としたことにより、上層と下層を明確に識別することができ、パッキンを誤って上下逆にセットするのを防ぐことができ、また容易に工程管理することができる。
【発明を実施するための最良の形態】
【００２２】
以下本発明の実施の形態を図面を参照しながら説明する。
図１は本発明のパッキン一実施例を示す縦断面図である。このパッキン３は円板状で、中間層である発泡層５は低密度ＰＥ樹脂製の発泡シート材を用いたものである。
【００２３】
またアルミ製の蓋２の内頂面２ａ（図２も参照）に熱圧着される上層４は発泡層４の表面の凹凸を埋めて平滑にするように、低密度ＰＥ樹脂製の塗料をコーティングして形成したものである。また、下層７はＰＰ樹脂製のフィルムをドライラミネート法で、接着層６を介して熱圧着、あるいは熱溶着状に積層形成したものである。
【００２４】
図２は、本発明のパッキン３の使用態様の一例を示す一部破断斜視図である。この容器は所謂アルミ缶であり、有底短円筒状の容器本体１と、この容器本体１に螺合組付きする蓋２から成り、蓋２の内頂面２ａに低密度ＰＥ樹脂製の上層４が熱圧着されて、パッキン３が蓋２内にセットされる。
【００２５】
そして蓋２を螺合組付けすると、螺合力によりＰＰ樹脂製の下層７の周縁部が容器本体１の上端面１ａに押付けられた状態となり、アルミ缶の密封性が確保される。
【００２６】
本発明のように、シール面となる下層７をＰＰ樹脂製とすることにより、ＰＥ樹脂製とするのに比較して内容物の揮散量を略１／１０程度低減することもできる。
【００２７】
なお、本発明は上記実施例に限定されるものではない。たとえばパッキンの積層構成は上記実施例のものだけでなく、用途、コスト等を考慮して様々な態様の積層構造とすることができる。たとえばＰＥ樹脂製フィルムをドライラミネート法、あるいは押出しラミネート法で積層して上層とすることもできる。
【００２８】
発泡層は低密度ＰＥ樹脂製に限らず直鎖状低密度ＰＥ樹脂製、ＰＰ樹脂製等の様々な樹脂製の発泡層を使用することができる。また、発泡層に低密度ＰＥ樹脂製のスキンコア構造を有するシート材を使用すれば、そのスキン部分を上層として使用することもでき、逆に発泡層にＰＰ樹脂製のスキンコア構造を有するシート材を使用すれば、そのスキン部分を下層として使用することもできる。
【００２９】
また、本発明のパッキンの作用効果は実施例として説明したアルミ缶に限定されるものではなく、たとえば、アルミ製、スチール製、あるいは合成樹脂製の蓋と、アルミ製、スチール製、あるいは合成樹脂製の容器本体を、用途に応じて組み合わせた様々な態様の容器に使用することができる。
【産業上の利用可能性】
【００３０】
以上説明したように本発明のパッキンは密封性に優れると共に、蓋内頂面に容易に熱圧着でき、安価であり容器用のパッキンとしてより幅広い用途展開が期待できる。
【図面の簡単な説明】
【００３１】
【図１】本発明のパッキンの一実施例を示す縦断面図である。
【図２】本発明のパッキンの使用態様の一例を示す一部破断斜視図である。
【符号の説明】
【００３２】
１  ；容器本体
１ａ；上端面
２  ；蓋
２ａ；内頂面
３  ；パッキン
４  ；上層
５  ；発泡層
６  ；接着層
７  ；下層
【図１】
2006232340.tif 000003
【図２】
2006232340.tif 000004